(57)【特許請求の範囲】
【請求項１】
帯を結ぶ際に使用する帯枕において、枕部の両側には紐を設け、そして枕部にはアームを下方へ延ばすと共に該アーム先端には仮紐を両側に延ばす為に繋ぎ、又、上記仮紐にはＡ点、Ｂ点、Ｃ点に目印が付され、Ａ点はアームから約７．５ｃｍの位置に、Ｂ点はアームから約６０ｃｍの位置に、Ｃ点はアームから約４５ｃｍの位置に形成したことを特徴とする帯枕。
【請求項２】
枕部は厚紙等から成る下板と枕で構成し、紐はガーゼ等の布製の細長い袋とし、上記枕を該袋に納めて下板に止着した請求項１記載の帯枕。
【請求項３】
アーム先端をＴ型形状とした請求項１、又は請求項２記載の帯枕。
【請求項４】
上記下板とアームを連続して形成した請求項１、請求項２、又は請求項３記載の帯枕。
【請求項５】
枕部には帯揚げを止着するゴム紐を設けた請求項１、請求項２、請求項３、又は請求項４記載の帯枕。
【発明の詳細な説明】
【０００１】
【発明の属する技術分野】
本発明は着物の帯を一人で簡単に身に付けることが出来るように、結帯具としての機能を備えた帯枕に関するものである。
【０００２】
【従来の技術】
着物の帯を結ぶ際には、背後に作られるお太鼓が崩れ落ちないように帯枕が使用される。帯枕はその両側に紐が取り付けられ、お太鼓の内側に該帯枕を納めた状態で紐を締め、形作ったお太鼓が帯枕に引っ掛かって崩れ落ちることはない。一方、帯枕はお太鼓の崩れ防止だけでなく、帯を結ぶ際になくてはならない結帯具としての機能を備えている。
【０００３】
図９は従来の帯枕を使用して袋帯を結ぶ手順を示している。
（１）手の方の帯幅を２つ折りにすると共に輪を外にして左肩に手先を載せ、先端はヘソの位置になるような長さとする。
（２）帯を胴に２巻きする。
（３）垂れで手をくるむように背中心にて結ぶ。
（４）手をくるむように垂れを上に出してしっかりと結ぶ。
（５）結び目を立てた後で、垂れを真っ直ぐに降ろして垂れの布目を通す。
（６）垂れを体の横に位置させ、垂れ先端から約３０ｃｍの位置に帯揚げを被覆した帯枕を当てがう。
【０００４】
（７）お太鼓の柄を奇麗に出しながら、垂れを２枚に折って揃える。
（８）帯たれの上から帯枕を掴んだままで後ろに回し、帯揚げと帯を持ってシワを延ばす。
（９）結び目の上に帯枕を載せ、前で帯枕の紐を結び、帯揚げの始末をして手先を前に預ける。
（10）垂れ先８〜１０ｃｍを残して、余った分を上に持ち上げ、お太鼓の大きさを決めて仮紐を前で結ぶ。
（11）前に預けてあった手先を仮紐に沿って通し、両端４〜５ｃｍづつお太鼓の両サイドへ出す。
（12）帯締めを通して前で結び出来上がる。
【０００５】
ところで、上記図９に示しているように、手を胴に巻付けて結ぶ際に、背中心で垂れを手の間に通して両手で上と下へ強く引かなくてはならず、大変な作業となる。又お太鼓を作る山を決めるが、該お太鼓の柄の位置や山にシワがよらないようにしなくてはならず、そして背中の結目の上に山を真っ直ぐに載せなくてはならない。この場合、お太鼓の山が大き過ぎないように又小さ過ぎないように仮紐で内側から打ち上げ、垂れ先の長さを指で測り、仮紐を前で締めてお太鼓が出来上がるが、これら全ての作業は手を後ろに回して行わなくてはならない。
【０００６】
このように背中に手を回して帯枕を手に取り、帯揚げを手に取り、仮紐を手に取り、さらに帯締めを手に取って、何度となく立ったりしゃがんだりしなくてはならず、そしてこれらの作業は鏡で背後を見ながらの作業であり、かなり熟練しなくては一人で帯を結ぶことは出来ない。
【０００７】
【本発明が解決しようとする課題】
従来の帯び結び作業は大変であると共に、かなりの熟練が必要である。本発明が解決しようとする課題はこの問題点であり、一人で簡単にしかも正確に着物の帯を結ぶことが出来るように、結帯具として機能する帯枕を提供する。
【０００８】
【課題を解決するための手段】
本発明の帯枕は帯を結ぶ際に使用する結帯具として機能するものであり、帯の結び方には袋帯と名古屋帯があるが、何れの場合にも使用することが出来る。該帯枕は枕部、紐、アーム、それに仮紐の部分から構成され、枕部からアームを延ばし、このアーム先端に仮紐を繋いでいる。アーム先端部をＴ型形状にして仮紐を繋ぐ場合もある。そして枕部には従来通り両側には紐が連結している。又上記枕部には上下に延びるゴム紐を繋ぐこともある。ここで、紐、仮紐、それにゴム紐の連結手段は特に限定しない。以下、本発明に係る実施例を図面に基づいて詳細に説明する。
【０００９】
【実施例】
図１は本発明の帯枕を示している実施例であり、（ａ）は表側、（ｂ）は裏側を表している。同図において１は枕部、２は紐、３はアーム、４は仮紐を示し、枕部１はガーゼ等の生地を細長い袋状にしてこの中に枕を収容し、これを厚紙等から成る下板５に載せて糸で縫い付けしている。アーム３は下板５に基部が固定されて垂直方向へ延び、先端両側には仮紐４、４が連結している。又仮紐４にはＡ点、Ｂ点、Ｃ点の目印が付いている。Ａ点はアーム３から約７．５ｃｍの位置に、Ｂ点はアーム３から約６０ｃｍの位置に、Ｃ点はアーム３から約４５ｃｍの位置にそれぞれ形成されている。図１（ｃ）はアーム先端部の他の具体例であり、同図に示すようにＴ型形状とする場合もある。ここでアーム３は下板５と連続して形成する場合もあり、そして仮紐４はアーム先端の両側へ延びているが、１本の連続した仮紐４を使用し、先端から外れないように止着しておくこともある。
【００１０】
図２は本発明の帯枕を示す他の実施例である。基本的には前記図１の場合と同じであり、枕部１、紐２、アーム３、仮紐４を有している。そしてこの帯枕の場合にはこれらの他に枕部１の上下から延びて帯揚げを止着する為のゴム紐２３ａ、２３ｂを備えている。このゴム紐２３の場合も、連続した１本の紐を下板５に形成した穴に通して止着しておくことでもよい。以下、この帯枕を使用して帯を結ぶ作業手順を図３〜図５に基づいて説明する。
【００１１】
帯の締め方としては袋帯と名古屋帯の２通りに付いて説明するが、本発明の帯枕はその使用方法は特に限定しない。以下の使用はあくまでも１具体例に過ぎない。
（１）袋帯を４つ折りにし、垂れ６を上にして置き、この垂れ６の上には本発明の帯枕を配置する。この場合、仮紐４、４に印したＢ点が垂れ先端に位置するようにして、枕部１の箇所にクリップ７を止着して目印を付ける。ただし、胴回りの太い人やお太鼓の柄の関係で仮紐のＣ点に位置合わせすることもある。
（２）帯８を引き延ばすと共に、上記クリップ７の位置にて折り返しされる。
（３）帯枕を図のように帯８の真ん中に置き、仮紐４、４のＡ点が垂れ９の先端に位置するように合わせ、ここでお太鼓の山の位置が定まることから、山の柄が良いか否かを垂れを裏返して確認する。
（４）帯揚げ１０を枕部１と両紐２、２に被覆し、仮紐４、４は両側へ延ばし、その状態で折られて２重に成っている垂れ９を図のようにさらに折り曲げる。帯揚げ１０は図２に示した帯枕を使用する際には、ゴム紐２３ａ、２３ｂにて外れないように止着される。
（５）垂れ９を折り曲げた状態が同図に示す場合であり、この場合、先端部１１は更に内側へおり返しされ、仮紐４、４を間に入れて抱き込む。従って帯びは６枚になって重なり合っている。
（６）このように折り畳んだ垂れが崩れないようにクリップ１２、１２にて両側を固定する。又太っている人の場合には、（ｂ）に示すように、仮紐４、４付近を別のクリップ１３、１３にて両側を固定するが、下側に位置する１枚の帯びは挟まれない。そしてこれがお太鼓となる。
【００１２】
図４の（７）〜（12）はこれから先の作業手順を示している。
（７）折り曲げて作られたお太鼓は同図のように裏返しされ、そして先端１４からお太鼓１５までの帯幅を２つ折りし、適当な２か所をクリップ１６、１６で挟み込む。
（８）帯幅を２つ折りしてお太鼓の境界にて垂直方向へ曲げる。この場合、交差部が２等辺三角形に成るように折り曲げ、この頂点１７をクリップ１８にて挟み込み、固定する。
（９）このように形作った胴２０の手先１９を、先端が胴２０の中程に位置するように左肩に載せる。そして胴２０は体に２回巻き付け、巻かれた胴２０の柄が正面に正しく位置するように手先１９を引きながら調整する。
（10）体に２回巻き付けた胴２０を腰の中央部にてクリップ２１にて挟み込み、固定する。
（11）手先１９を肩からおろし、背中の部分に手先１９が出ないように斜めに折っておく。
（12）肩から降ろした手先１９を前へ回し、右のバストポイントに預けてクリップ止めする。余った手先１９は（ｂ）に示すように背中側へ引いておく。
【００１３】
図５（13）〜（18）は更に後の作業手順を示している。
（13）お太鼓１５を背中に山が上になるように載せる。この際、手先１９の残り部分を隠す為に上から下へ降ろし、前記（12）にて背中に引いて余っている部分はお太鼓１５の下に畳み込む。
（14）背中に正しく載せたところで帯枕の両紐２、２を両側へ引く。
（15）上記両紐２、２を胸元で締めて胴２０内に隠す。そして帯揚げ１０を胴２０に差し込む。
（16）仮紐４、４を両脇で引いて前で締め、胴２０の下側へしまい込む。そして止着してある全てのクリップ７、１２、１３、１６、１８、２１を取り外す。
（17）お太鼓の形を整え、前に預けてある手先１９を外して仮紐４に沿ってお太鼓に通し、両脇４〜５ｃｍ程出して仮紐４を隠す。
（18）帯紐２２をお太鼓を通して締めて出来上がる。
このように、本発明の帯枕を使用することで、お太鼓を先に作り上げ、その状態で帯を結ぶ為に、簡単にお太鼓の形が整い、位置もバランス良く着用出来る。勿論、帯結びに大きな力はいらなくなる。
【００１４】
図６〜図８は名古屋帯を結ぶ場合の作業手順を示しているが、帯枕は前記図１又は図２に示したものが使用される。
（１）図のように縫い止まりの位置で帯を垂直に折り曲げる。そして帯裏２４を出している側の上に枕部１を載せる。この場合、アーム３の先端が縫い止まり２５に位置するように配置する。
（２）枕部１及び紐２に帯揚げ１０を被覆し、そして垂れ２６を帯枕に被せる。ただし、お太鼓に柄がある場合には、その柄の位置を見極めて配置する。
（３）帯枕の仮紐４側の垂れ２６を持ち上げて図のように中に折り込み、下方へ延びる垂れ２６の長さを約７ｃｍとする。（ｂ）、（ｃ）は垂れ２６の別の折り込み形態を示している。
（４）中に折り込んで作ったお太鼓の山が崩れないように、両側をクリップ２７、２７にて挟み込んで固定する。垂れ２６が長い場合には片側２個づつクリップ止めすることもある。
（５）帯の縫い止まり２５から延びている垂れ２６を上に折り曲げてクリップ２８にて全体を挟み込む。これでお太鼓の部分が完成する。
（６）手先２９を左肩にかつぎ、体に帯を２回巻き付ける。この場合、手先先端が帯の中央に位置するように調整すると共に、帯に柄がある時にはこの柄の位置も考慮する。
【００１５】
（７）体に２回巻き付けて帯を固定する為に、腰の中央部にてクリップ３０で挟み込む。
（８）手先２９を肩からおろし、背中の部分に手が触れないように斜めに折っておく。（ｂ）に示すごとく、右手で背中の位置を引いて折り込む。
（９）手先２９を体に巻き付けた帯に沿って前に運び、右のバストポイントにクリップ３１にて挟み込んで外れないように預ける。
（10）お太鼓を山が上になるように背中に配置し、この場合、手の余り部分が外に出ないようにお太鼓で隠す。
（11）帯枕の紐２を前で締めて帯の中に入れ、そして帯揚げ１０を帯に差し込む。
（12）仮紐４、４を両脇で結ぶ。
【００１６】
（13）仮紐４、４を前で締め、帯の下に差し入れる。
（14）止着している各クリップ２７、２８、３０、３１を取り外し、お太鼓の形を整える。
（15）前に預けてある手先のクリップを外し、仮紐４に沿ってお太鼓内に差し込み、手先が両側から３〜４ｃｍ出るようにする。
（16）帯紐を結んで出来上がる。
【００１７】
このように名古屋帯を結ぶ場合も、袋帯と同じくお太鼓を前以て形作った状態で着用することが出来る。勿論、他の帯を結ぶ際に使用することは自由であり、帯枕の使い方は実施例で説明した場合に限定しない。以上述べたように、本発明の帯枕は枕部の両側に紐を連結し、そして枕部からアームを延ばし、このアーム先端には仮紐を繋いだものであり、次のような効果を得ることが出来る。
【００１８】
【発明の効果】
本発明の帯枕は結帯具として大きな効果がある。すなわち、袋帯の場合、名古屋帯の場合であっても、帯を結ぶ前にお太鼓を前以て形作ることが出来る為に、帯締めはいたって簡単に行うことが出来、しかもお太鼓の形が崩れることなく、柄帯の場合には柄を正しくお太鼓の正面に位置させることが出来る。それに、本発明の帯枕はアームを備えていて概略Ｔ型形状を成し、枕部の紐とアーム先端に繋いでいる仮紐にて結ぶ為にお太鼓の形は何時までも崩れにくい。
【図面の簡単な説明】
【図１】本発明の帯枕を示す実施例。
【図２】本発明の帯枕を示す他の実施例。
【図３】袋帯を結ぶ作業手順（１）〜（６）を示す。
【図４】袋帯を結ぶ作業手順（７）〜（12）を示す。
【図５】袋帯を結ぶ作業手順（13）〜（18）を示す。
【図６】名古屋帯を結ぶ作業手順（１）〜（６）を示す。
【図７】名古屋帯を結ぶ作業手順（７）〜（12）を示す。
【図８】名古屋帯を結ぶ作業手順（13）〜（16）を示す。
【図９】袋帯の従来の締め方。
【符号の説明】
１  枕部
２  紐
３  アーム
４  仮紐
５  下板
６  垂れ
７  クリップ
８  帯
９  垂れ
10  帯揚げ
11  先端部
12  クリップ
13  クリップ
14  先端
15  お太鼓
16  クリップ
17  頂点
18  クリップ
19  手先
20  胴
21  クリップ
22  帯紐
23  ゴム紐
24  帯裏
25  縫い止まり
26  垂れ
27  クリップ
28  クリップ
29  手先
30  クリップ
31  クリップ
【図１】
0004307605.tif 000002
【図２】
0004307605.tif 000003
【図３】
0004307605.tif 000004
【図４】
0004307605.tif 000005
【図５】
0004307605.tif 000006
【図６】
0004307605.tif 000007
【図７】
0004307605.tif 000008
【図８】
0004307605.tif 000009
【図９】
0004307605.tif 000010